(57)【要約】【課題】照明装置の輝度均一性を向上しつつ、効率的に省電力化を図ることができる、液晶表示装置、バックライトユニット、透光板および導光体を提供する。【解決手段】表示面１８を構成する液晶表示パネル２と、液晶表示パネル２の表示面１８側とは反対側である下方に配置され、複数の光源６が設けられた発光層５と、発光層５と液晶表示パネル２との間に配置された光電変換層１９とを備えている。光電変換層１９は、光源６の上方の位置に形成された、表示面１８側とは反対側に向いた受光面を有する複数の光電変換部３を含む。【選択図】図１
2013040978.tif 000002
【特許請求の範囲】
【請求項１】
表示面を構成する液晶表示パネルと、
前記液晶表示パネルの前記表示面側とは反対側である下方に配置され、複数の光源が設けられた発光層と、
前記発光層と前記液晶表示パネルとの間に配置された光電変換層と
を備え、
前記光電変換層は、前記光源の上方の位置に形成された、前記表示面側とは反対側に向いた受光面を有する複数の光電変換部を含む、液晶表示装置。
【請求項２】
前記光電変換層は、前記発光層から発光された光を拡散させる光量調節部を含む、請求項１に記載の液晶表示装置。
【請求項３】
前記光源は、その発光方向が指向性を有し、該指向性は、前記発光層に垂直な方向の光の成分よりも前記発光層に平行な光の成分の方が大きい、請求項１または２に記載の液晶表示装置。
【請求項４】
前記光源が発光ダイオードである、請求項３に記載の液晶表示装置。
【請求項５】
前記光電変換部により発電された電力を前記光源に利用する、請求項１から４のいずれかに記載の液晶表示装置。
【請求項６】
前記光電変換部は、アモルファスシリコンからなる太陽電池層と、微結晶シリコンからなる太陽電池層とが積層されたタンデム構造を含む、請求項１から５のいずれかに記載の液晶表示装置。
【請求項７】
前記発光層は、前記光源からの光が入射される複数の導光体を備え、
少なくとも１つの前記光電変換部が、平面的に見て、隣接する前記導光体同士の境界を覆うように配置された、請求項１から６のいずれかに記載の液晶表示装置。
【請求項８】
前記発光層は、前記光源からの光が入射される複数の導光体を備え、
前記光源は、前記導光体の互いに対向する２つの端部に沿って配置され、
複数の前記光源は、異なる色の光を発光するものを１つ以上含み、
前記光源の配列方向における各前記導光体の端部の側面には、前記導光体の内側に向いた受光面を有する光電変換部が設けられた、請求項１から６のいずれかに記載の液晶表示装置。
【請求項９】
複数の前記光源が、赤色発光ダイオード、緑色発光ダイオードおよび青色発光ダイオードを含み、
前記表示面に対向する前記導光体の発光面から、前記光源からの光が混色されて出射される、請求項８に記載の液晶表示装置。
【請求項１０】
前記対向する２つの端部のうちの一方の端部側に配置された前記光源は、対向する他方の端部に配置された前記光源に向かって光を照射する、請求項９に記載の液晶表示装置。
【請求項１１】
複数の光源が設けられた発光層と、
前記発光層の上方に配置された光電変換層と
を備え、
前記光電変換層は、前記光源の上方の位置に形成された、表示面側とは反対側に向いた受光面を有する複数の光電変換部を含む、バックライトユニット。
【請求項１２】
前記発光層は、前記光源からの光が入射される複数の導光体を備え、
少なくとも１つの前記光電変換部が、平面的に見て、隣接する前記導光体同士の境界を覆うように配置された、請求項１１に記載のバックライトユニット。
【請求項１３】
前記発光層は、前記光源からの光が入射される複数の導光体を備え、
前記光源は、前記導光体の互いに対向する２つの端部に沿って配置され、
複数の前記光源は、異なる色の光を発光するものを１つ以上含み、
前記光源の配列方向における各前記導光体の端部の側面には、前記導光体の内側に向いた受光面を有する光電変換部が設けられた、請求項１１に記載のバックライトユニット。
【請求項１４】
液晶表示装置に用いられ、光源の上方に配置され、該光源から出射された光を透過させる透光板であって、
前記光源の上方の位置に形成され、前記透光板の前記光が出射される側とは反対側に向いた受光面を有する光電変換部を備えた、透光板。
【請求項１５】
前記液晶表示装置は、前記光源からの光が入射される複数の導光体を備え、
少なくとも１つの前記光電変換部が、平面的に見て、隣接する前記導光体同士の境界を覆うように配置された、請求項１４に記載の透光板。
【請求項１６】
前記液晶表示装置は、前記光源からの光が入射される複数の導光体を備え、
前記光源は、前記導光体の互いに対向する２つの端部に沿って配置され、
複数の前記光源は、異なる色の光を発光するものを１つ以上含み、
前記光源の配列方向における各前記導光体の端部の側面には、前記導光体の内側に向いた受光面を有する光電変換部が設けられた、請求項１４に記載の透光板。
【請求項１７】
液晶表示装置に用いられ、異なる色の光を発光するものを１つ以上含む複数の光源からの光が入射される導光体であって、
前記導光体の互いに対向する２つの端部に沿って前記光源が配置され、
前記光源の配列方向における各前記導光体の端部の側面には、前記導光体の内側に向いた受光面を有する光電変換部が設けられた、導光体。
【発明の詳細な説明】
【技術分野】
【０００１】
本発明は、液晶表示装置、バックライトユニット、透光板および導光体に関する。
【背景技術】
【０００２】
近年、液晶表示装置が大型化するに従い、その消費電力の低減が求められている。バックライトからの光を有効活用して省電力化を図った液晶表示装置を開示した先行文献として特許文献１がある。
【０００３】
特許文献１に記載された液晶表示装置においては、バックライトの背面の略全域に複数の光発電素子が設けられている。この液晶表示装置は、バックライトの背面側に進行した無駄な光を光発電素子により回収することにより、未利用であった光を有効活用して省電力化を図っている。
【０００４】
大型液晶ディスプレイにおいて薄型化を図るために、光源と液晶表示パネルとが近づけられるが、この場合、照明装置の輝度均一性を保つために遮光部が設けられていた。遮光部を設けた液晶表示装置を開示した先行文献として特許文献２がある。
【０００５】
特許文献２に記載された液晶表示装置においては、光源の直上の領域に高密度の拡散粒子を配置することにより、光源からの距離が近い領域の光の透過率を低減させて、拡散板からの出射光の輝度均一性を向上させている。
【先行技術文献】
【特許文献】
【０００６】
【特許文献１】特開２００７−２１２８５１号公報
【特許文献２】ＷＯ  ２００８／０５０５０４  Ａ１号
【発明の概要】
【発明が解決しようとする課題】
【０００７】
特許文献２に記載された液晶表示装置においては、遮光部を設けることにより輝度ムラを低減しているが、この遮光部に輝度の高い光が当たることにより、光エネルギーの損失が発生している。特許文献１に記載された液晶表示装置においては、光源から出射された光を回収するためにバックライトの背面側の略全面に光発電素子が設けられており、バックライトと光発電素子との間において、バックライトの背面側のほぼ全領域にわたって反射シートが設けられている。その反射シートによってバックライトの光が反射されるため、光発電素子に入射する光が低減されている。よって、液晶表示装置の省電力化という点で、さらに改善の余地があった。
【０００８】
本発明は、上記の問題点に鑑みなされたものであって、照明装置の輝度均一性を向上しつつ、効率的に省電力化を図ることができる、液晶表示装置、バックライトユニット、透光板および導光体を提供することを目的とする。
【課題を解決するための手段】
【０００９】
本発明に基づく液晶表示装置は、表示面を構成する液晶表示パネルと、液晶表示パネルの表示面側とは反対側である下方に配置され、複数の光源が設けられた発光層と、発光層と液晶表示パネルとの間に配置された光電変換層とを備えている。光電変換層は、光源の上方の位置に形成された、表示面側とは反対側に向いた受光面を有する複数の光電変換部を含む。
【００１０】
上記の液晶表示装置によれば、輝度の高い光が発生しやすい光源の上方の位置に光電変換部が設けられているため、光電変換部により輝度の高い光を回収することができる。その結果、発光層から液晶表示パネルに入射する光の輝度を均一にして、照明装置の輝度均一性を向上させることができる。また、光電変換部が発電した電力を利用することにより、液晶表示装置の省電力化を図ることができる。
【００１１】
本発明の一形態においては、光電変換層は、発光層から発光された光を拡散させる光量調節部を含む。このようにすることにより、発光層から液晶表示パネルに入射する光の輝度をさらに均一にすることができる。
【００１２】
好ましくは、光源は、その発光方向が指向性を有し、この指向性は、発光層に垂直な方向の光の成分よりも発光層に平行な光の成分の方が大きい。このようにすることにより、発光層の全体に光を行き渡らせることができるため、発光層から液晶表示パネルに入射する光の輝度を均一にすることができる。
【００１３】
本発明の一形態においては、光源が発光ダイオードである。このようにすることにより、光源が消費する電力を削減することができる。
【００１４】
本発明の一形態においては、光電変換部により発電された電力を光源に利用する。このようにすることにより、光源が消費する電力の一部に光電変換部で発電した電力を利用することができるため、液晶表示装置の省電力化を図ることができる。
【００１５】
本発明の一形態においては、発光層は、光源からの光が入射される複数の導光体を備えている。少なくとも１つの光電変換部が、平面的に見て、隣接する導光体同士の境界を覆うように配置されている。このようにすることにより、導光体の端面から出射する輝度の高い光を遮光して、発光層から液晶表示パネルに入射する光の輝度を均一にすることができる。
【００１６】
本発明の一形態においては、発光層は、光源からの光が入射される複数の導光体を備えている。光源は、導光体の互いに対向する２つの端部に沿って配置され、複数の光源は、異なる色の光を発光するものを１つ以上含み、光源の配列方向における各導光体の端部の側面には、導光体の内側に向いた受光面を有する光電変換部が設けられている。
【００１７】
このようにすることにより、配列された光源において最も端に配置された光源から発光された光を光電変換部により回収することができるため、導光体の側端面が色付くことを防ぐことができる。
【００１８】
本発明の一形態においては、複数の光源が、赤色発光ダイオード、緑色発光ダイオードおよび青色発光ダイオードを含み、表示面に対向する導光体の発光面から、光源からの光が混色されて出射される。このようにすることにより、色再現範囲の広い照明装置を得ることができる。
【００１９】
好ましくは、対向する２つの端部のうちの一方の端部側に配置された光源は、対向する他方の端部に配置された光源に向かって光を照射する。このようにすることにより、発光層の全体に光を行き渡らせることができるため、発光層から液晶表示パネルに入射する光の輝度を均一にすることができる。
【発明の効果】
【００２０】
本発明によれば、輝度の高い光が発生しやすい光源の上方の位置に光電変換部が設けられているため、光電変換部により輝度の高い光を回収することができる。その結果、発光層から液晶表示パネルに入射する光の輝度を均一にして、照明装置の輝度均一性を向上させることができる。また、光電変換部が発電した電力を利用することにより、液晶表示装置の省電力化を図ることができる。
【図面の簡単な説明】
【００２１】
【図１】本発明の実施形態１に係る液晶表示装置の構成を模式的に示す断面図である。
【図２】本発明の実施形態２に係る液晶表示装置の構成を模式的に示す断面図である。
【図３】本発明の実施形態３に係る導光体の構成を模式的に示す平面図である。
【発明を実施するための形態】
【００２２】
以下、本発明の実施形態１に係る、液晶表示装置、バックライトユニット、透光板および導光体について図面を参照して説明する。
実施形態１
図１は、本発明の実施形態１に係る液晶表示装置の構成を模式的に示す断面図である。図１に示すように、本発明の実施形態１に係る液晶表示装置１は、液晶表示パネル２、バックライトユニット１７および透光板１２を備えている。
【００２３】
液晶表示パネル２の構成については、従来の液晶表示装置に使用される一般的な液晶表示パネルと同様であるため、その説明を省略する。液晶表示パネル２は、液晶表示装置１の表示面１８を構成している。
【００２４】
液晶表示パネル２の表示面１８側とは反対側である下方に、バックライトユニット１７が配置されている。バックライトユニット１７は、複数の光源６が設けられた発光層５および発光層５の上方に配置された光電変換層１９などを備えている。
【００２５】
光源６は、平板状の基板４に空気が封入された空気層７内に複数配置されている。光源６と空気層７とから、発光層５が構成されている。光源６を構成するサイド発光型のＬＥＤとして、Ｒ、Ｇ、Ｂのチップが１つのパッケージにモールドされているものを用いることによって、色再現範囲の広い照明装置を得ることが可能となる。光源６から空気層７に入射した光は、空気層７内で混色されながら進行して光電変換層１９との境界に達する。
【００２６】
複数の光源６が点在して存在する発光層５の上方に透光板１２が配置されている。透光板１２として、本実施形態においてはガラス基板を用いた。透光板１２には、液晶表示装置１の表示面１８側とは反対側に向いた受光面を有する光電変換部３が、光源６が配置された位置の上方に形成されている。光電変換部３は、ＳｎＯ2（酸化錫）からなる透明導電膜８、太陽電池本体９、ＺｎＯ（酸化亜鉛）層とＡｇ層とを積層した裏面電極層１０が順次積層された構成の薄膜太陽電池である。
【００２７】
本実施形態においては、太陽電池本体９は、アモルファスシリコンからなる第１太陽電池層と微結晶シリコンからなる第２太陽電池層とが積層されてなるタンデム型の薄膜太陽電池から構成されている。第１太陽電池層は、ａ−Ｓｉ：Ｈｐ層、ａ−Ｓｉ：Ｈｉ層およびａ−Ｓｉ：Ｈｎ層からなり、第２太陽電池層は、μｃ−Ｓｉ：Ｈｐ層、μｃ−Ｓｉ：Ｈｉ層およびμｃ−Ｓｉ：Ｈｎ層からなるが、これに限定されるものではない。なお、薄膜太陽電池である太陽電池本体９は、プラズマＣＶＤ装置内でガス状のシリコンをプラズマ放電によって分解し、ガラス基板上に薄いシリコン膜を積層して作製した。このように、太陽電池本体９に薄膜太陽電池を用いれば、液晶表示パネル２を作製する際に必要なシリコン薄膜の技術を光電変換部３に水平展開できるため、光電変換部３を有する液晶表示装置１を効率的に生産することができる。
【００２８】
光電変換層１９においては、それぞれの光源６の上方の位置に光電変換部３が形成され、光源６同士の間の位置の上方に空間１１が形成されている。本実施形態においては、空間１１には空気が封入されているが、空間１１に発光層５から発光された光を拡散させる光量調節部を設けてもよい。光量調節部は、拡散板１３と同様の機能を有しているため、空間１１に光量調節部を設けた場合には、バックライトユニット１７から照射される光の輝度均一性を向上することができる。
【００２９】
光量調節部の具体的な構造としては、たとえば、透明樹脂に拡散粒子を分散させることにより、発光層５から発光された光を散乱させるようにしてもよい。拡散粒子の大きさを位置によって変える、または、拡散粒子の密度を位置によって変えることにより、光の散乱量を変化させることができる。このようにすることにより、光量調節部により液晶表示パネル２に入射する光の量を調節することができる。
【００３０】
透光板１２の上方に、拡散板１３が配置されている。拡散板１３は、光源６から出射された光を板の内部で拡散させ、板の主面全体から面発光させるものである。拡散板１３としては、アクリル系樹脂、ポリカーボネート、ポリスチレンなどの透明樹脂を用いて形成することができるが、これらに限られず、拡散板として一般的に使用される材料を用いることができる。
【００３１】
基板４の下面には、基板４を透過した光を再度発光層５に入射させる反射部１４が形成されている。反射部１４としては、たとえば、基板４の下面にＡｌなどの金属を蒸着させることにより形成することができる。光源６から出射された光を反射部１４により液晶表示パネル２側に反射させることにより、輝度が均一にされた光を発光層５から面発光させることができる。
【００３２】
光源６からの光の出射方向について説明する。本実施形態に係るバックライトユニット１７においては、従来の直下型のバックライトとは異なり、拡散板１３に垂直な方向に光源６の発光方向の主成分、言い換えると、出射光のピーク成分がない。拡散板１３に平行な方向に、光源６の発光方向の主成分がある。
【００３３】
つまり、光源６は、その発光方向が指向性を有し、その指向性は、発光層５に垂直な方向の成分よりも発光層５に平行な光の成分の方が大きい。これにより、光電変換層１９に光源６からの光が直接入射する光を減らすことができるため、発光層５から液晶表示パネル２に入射する光の輝度ムラを低減することができ、バックライトユニット１７の薄型化を図ることができる。
【００３４】
図１中に、光源６から出射された光の出射方向を矢印で示す。この矢印に示されるように、各光源６からの光は、発光層５に沿うように出射される。つまり、基板４上に設けられた光源６の側面から光が出射し、その出射方向が拡散板１３の板の延在方向に略平行になっている。
【００３５】
隣接して設けられた光源６からの光の出射方向は、反対方向に向けられている。このように、本実施形態に係るバックライトユニット１７においては、複数個の光源６から出射される各光の出射方向は、少なくとも２種類存在する。
【００３６】
このように、光源６からの光の出射方向が発光層５に平行な方向になっていることによって、光源６の直上の領域の光の輝度が、他の領域の光の輝度に比べて高くなることを抑制することができる。さらに、隣接する２つの光源６からの光の出射方向が互いに異なっていることにより、光を発光層５の隅々まで行き渡らせることができる。上記のように、光源６の直上と他の領域との輝度の差を少なくしつつ、輝度が高くなる光源６の直上に光電変換部３を配置することにより、発光層５から出射される光の輝度を均一にすることができる。
【００３７】
なお、本実施形態においては、光源６からの光の主たる出射方向が、発光層５と光電変換層１９との境界面に完全に平行になっているものが最も好ましいが、かならずしもこのような構成に限定されない。つまり、光源６が指向性を有するものであり、その指向性が、発光層５と光電変換層１９との境界面に垂直な方向の光の成分より、発光層５と光電変換層１９との境界面に平行な方向の光の成分の方が大きくなるようなものであればよい。
【００３８】
本実施形態においては、光源として発光ダイオードを用いた。また、発光ダイオードから出射された光を効率よく出射するために、図示しないモールド樹脂とモールド樹脂を保持するための図示しないパッケージと発光ダイオードを通電するための図示しない電極を設けた。光源６として、発光ダイオードを用いることにより、バックライトユニット１７の消費電力を低減することができるとともに、光源６の長寿命化を図ることができる。
【００３９】
光電変換部３により発電された電力は、図示しない蓄電装置に蓄電して光源６の駆動に利用した。このように、光電変換部３により得られた起電力を光源６に利用することにより、液晶表示装置１の省電力化を図ることができる。また、光電変換部３により得られた起電力は、液晶表示装置１に搭載されるデバイスの駆動などに使用してもよい。
【００４０】
上記の液晶表示装置１によれば、輝度ムラの発生しやすい光源６の上方の位置に光電変換部３が設けられているため、発光層５から液晶表示パネル２に入射する光の輝度を均一にして、バックライトユニット１７の輝度均一性を向上させることができる。光電変換部３により輝度の高い光を回収して発電することができ、液晶表示装置１の省電力化を図ることができる。
【００４１】
以下、本発明の実施形態２に係る、液晶表示装置、バックライトユニット、透光板および導光体について図面を参照して説明する。実施形態１と同一の構成については、同じ参照符号を付し、その説明を繰り返さない。
実施形態２
図２は、本発明の実施形態２に係る液晶表示装置の構成を模式的に示す断面図である。図２に示すように、本実施形態に係る液晶表示装置２０においては、発光層２７は、光源６からの光が入射される複数の導光体１５を備えている。
【００４２】
導光体１５の上面と光電変換層１９の下面とは接している。平面的に見て、光電変換部３は、隣接する導光体１５の同士の境界を覆うように配置されている。本実施形態においては、すべての光電変換部３は、隣接する導光体１５同士の境界を覆うように形成されているが、少なくとも１つの光電変換部３が、隣接する導光体１５同士の境界を覆うように形成されていればよい。
【００４３】
光源６から導光体１５に入射した光は、導光体１５内において全反射を繰り返しながら光電変換層１９との境界に進行する。光は、導光体１５内において全反射する度に、光の強度が減少していく。そのため、導光体１５内において複数回全反射した光の強度は低下している。
【００４４】
本実施形態の液晶表示装置２０のように、タイル構造の導光体１５では、光源６から導光体１５に入射した光の一部が、導光体１５内において全反射することなく、隣接する導光体１５同士の境界に達する。その一部の光１６は、導光体１５内において全反射していないため、光の強度が強い。そのため、隣り合う導光体１５同士の間の隙間から出射された光には強度の強い光が含まれ、その光がそのまま液晶表示パネル２に入射した場合、バックライトユニットから出射される光の輝度均一性が損なわれる。
【００４５】
本実施形態の液晶表示装置２０においては、平面的に見て、光電変換部３が隣接する導光体１５同士の境界を覆うように配置されている。そのため、隣接する導光体１５同士の間の隙間から出射された輝度の高い光は、光電変換部３により回収されるため、液晶表示パネル２に入射される光の輝度均一性を向上することができる。
【００４６】
上記の液晶表示装置２０によれば、輝度ムラの発生しやすい光源６の上方の位置に光電変換部３が設けられているため、発光層２７から液晶表示パネル２に入射する光の輝度を均一にして、バックライトユニット２６の輝度均一性を向上させることができる。輝度の高い光を光電変換部３により受光して発電することができ、液晶表示装置２０の省電力化を図ることができる。
【００４７】
以下、本発明の実施形態３に係る導光体について図面を参照して説明する。実施形態１または２と同一の構成については、同じ参照符号を付し、その説明を繰り返さない。
実施形態３
図３は、本発明の実施形態３に係る導光体の構成を模式的に示す平面図である。本実施形態に係る導光体１５は、実施形態２と同様に、発光層２７は、光源からの光が入射される導光体１５を備えている。
【００４８】
図３に示すように、光源６は、導光体１５の互いに対向する２つの端部に沿って配置されている。複数の光源６は、異なる色の光を発光するものを１つ以上含み、光源６の配列方向における各導光体１５の端部の側面には、導光体１５の内側に向いた受光面を有する光電変換部２４が設けられている。
【００４９】
光電変換部２４は、ＳｎＯ2（酸化錫）からなる透明導電膜２１、太陽電池本体２２、ＺｎＯ（酸化亜鉛）層とＡｇ層とを積層した裏面電極層２３が順次積層された構成の薄膜太陽電池である。
【００５０】
本実施形態においては、太陽電池本体２２は、アモルファスシリコンからなる第１太陽電池層と微結晶シリコンからなる第２太陽電池層とが積層されてなるタンデム型の薄膜太陽電池から構成されている。第１太陽電池層は、ａ−Ｓｉ：Ｈｐ層、ａ−Ｓｉ：Ｈｉ層およびａ−Ｓｉ：Ｈｎ層からなり、第２太陽電池層は、μｃ−Ｓｉ：Ｈｐ層、μｃ−Ｓｉ：Ｈｉ層およびμｃ−Ｓｉ：Ｈｎ層からなるが、これに限定されるものではない。なお、薄膜太陽電池である太陽電池本体２２は、プラズマＣＶＤ装置内でガス状のシリコンをプラズマ放電によって分解し、ガラス基板上に薄いシリコン膜を積層して作製した。このように、太陽電池本体２２に薄膜太陽電池を用いれば、液晶表示パネル２を作製する際に必要なシリコン薄膜の技術を光電変換部２４に水平展開できるため、光電変換部２４を有する液晶表示装置１を効率的に生産することができる。
【００５１】
以下、光電変換部２４を上記のように設ける理由について説明する。光源６である発光ダイオードの出射輝度の角度特性は、どの角度においても均一な輝度で出射しているわけでなく、正面方向に出射している光の輝度が最も高く、正面方向からの角度が増大するにしたがって輝度が低下していく。
【００５２】
たとえば、図３に示すように、Ｒ、Ｇ、Ｂの３原色の発光ダイオードを用いた場合、Ｒの発光ダイオードの正面で充分に混色された白色光を得るためには、Ｒの右隣のＧ、Ｂのの各光源、また、Ｒの左隣のＧ、Ｂの各光源から斜め方向に出射された光がＲの正面の発光部まで導光され、Ｒ、Ｇ、Ｂの光が均等に混色されることが必要となる。
【００５３】
しかし、たとえば導光体１５の右側端面においては、左側からの各光源６から斜め右方向に出射された光は混色されるが、右側に光源６が無いため、最も右側に配置された発光ダイオードの色以外の色の光量が少なくなる。さらに、最右端の発光ダイオードから右側に出射された光は、右端面で全反射する。これにより、最右端の発光ダイオードの色の光量が大きくなる。そのため、導光体１５の側端面において、最も端に配置された発光ダイオードの色に色づいてしまう問題が発生していた。
【００５４】
そこで、本実施形態に係る導光体１５においては、光源６の配列方向における導光体１５の端部の側面に光電変換部２４が設けられている。このように構成することにより、光源６から導光体１５へ入射された光は、導光体１５の端部側面にて全反射することなく光電変換部２４により回収される。この結果、導光体１５の端部に配置された光源６から出射された光の光量が低下するため、並んで配置された各光源６のうち、最も端に配置された光源６の色による色付を低減することができる。上記の導光体１５においては、図２に示す導光体１５の発光面２５から均一な白色光が出射される。
【００５５】
本実施形態においては、対向する２つの端部のうちの一方の端部側に配置された光源６は、対向する他方の端部に配置された光源６に向かって光を照射する。このようにすることにより、各導光体１５の対向する２つの端部に沿ってそれぞれ並んで配置された各光源６が、互いに照射できない領域を補い合うように光を照射することができる。その結果、導光体１５の発光面２５の全面から均一な光を照射することができる。その他の構成については、実施形態２と同一であるため説明を繰り返さない。
【００５６】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００５７】
１，２０  液晶表示装置、２  液晶表示パネル、３  光電変換部、４  基板、５，２７  発光層、６  光源、７  空気層、８，２１  透明導電膜、９，２２  太陽電池本体、１０，２３  裏面電極層、１１  空間、１２  透光板、１３  拡散板、１４  反射部、１５  導光体、１６  光、１７，２６  バックライトユニット、１８  表示面、１９，２４  光電変換層、２５  発光面。
【図１】
2013040978.tif 000003
【図２】
2013040978.tif 000004
【図３】
2013040978.tif 000005